(57)【要約】【課題】文書データが示す複数頁分の原稿の内、記録シートに形成されている原稿画像の元になった原稿を特定することができる画像処理システムを提供する。【解決手段】原稿画像及び識別画像が形成されている第１の記録シートから、画像読取部１２が識別画像を読み取り、読み取られた識別画像から、画像処理部１４が識別情報を抽出する。抽出された識別情報に基づいて、制御部１１は、原稿画像の元になった原稿に係る文書データを記憶部１３から読み出す。次に、制御部１１は、読み出した文書データから、抽出された識別情報によって特定される１頁分の原稿のデータを抽出し、抽出した原稿のデータ及び識別情報夫々をラスタライズしてなる画像データを生成し、生成した画像データを画像形成部１５に与える。画像形成部１５は、与えられた画像データに基づいて、原稿画像及び識別画像が形成されている第２の記録シートを出力する。【選択図】図１
2011050005.tif 000002
【特許請求の範囲】
【請求項１】
複数頁からなる文書を示す文書データを記憶する記憶装置と、
複数頁からなる文書の内の１頁分の原稿を示す原稿画像と、前記記憶装置に記憶されており、前記１頁分の原稿が含まれる文書を示す文書データ、及び該文書データが示す文書における前記１頁分の原稿を識別する識別情報を示す識別画像とが形成してある記録シートから、少なくとも前記識別画像を読み取る読取装置と、
該読取装置が読み取った識別画像から、前記識別情報を抽出する抽出装置と
を備える画像処理システムであって、
前記記憶装置に記憶されている文書データには、該文書データ、及び該文書データが示す文書における各１頁分の原稿を識別する識別情報が関連付けられており、
前記抽出装置が抽出した識別情報によって特定される文書データを前記記憶装置から読み出す読出装置を備えることを特徴とする画像処理システム。
【請求項２】
前記読出装置が読み出した文書データに基づいて、少なくとも前記識別情報によって特定される１頁分の原稿を示す原稿画像と、前記文書データ、及び該文書データが示す文書における前記１頁分の原稿を識別する識別情報を示す識別画像とを記録シートに形成する画像形成装置を更に備えることを特徴とする請求項１に記載の画像処理システム。
【請求項３】
前記読出装置が読み出した文書データ及び前記抽出装置が抽出した識別情報を、受信した文書データを処理するデータ処理装置へ送信する送信装置を更に備えることを特徴とする請求項１又は２に記載の画像処理システム。
【発明の詳細な説明】
【技術分野】
【０００１】
本発明は、識別情報によって特定される文書データを、文書データが記憶されている記憶装置から読み出す画像処理システムに関する。
【背景技術】
【０００２】
プリンタは、１頁又は複数頁からなる文書を示す文書データに基づいて、ユーザが所望する頁の原稿を示す原稿画像を記録シートに形成する。
コピー機は、記録シートに形成されている原稿画像を読み取り、読み取った原稿画像を、この原稿画像が形成されている記録シートとは異なる記録シートに形成（即ち複写）する。ただし、複写された原稿画像は、複写元の原稿画像に比べて、画質が劣化している。
一方、文書データに基づいて原稿画像を記録シートに形成する場合には、原稿画像の画質の劣化は起こらない。
【０００３】
そこで、原稿画像の元になった原稿が含まれる文書を示す文書データ（以下、原稿画像の元になった原稿に係る文書データという）を識別する識別情報を、記録シートに付与しておくことが提案されている（特許文献１〜４参照）。この場合、文書データと文書データを識別する識別情報とが関連付けられて、記憶装置に記憶されている。
画像形成装置は、記録シートに付与されている識別情報を検出し、検出された識別情報によって特定される文書データを記憶装置から読み出し、読み出した文書データに基づいて、原稿画像を記録シートに形成する。
【先行技術文献】
【特許文献】
【０００４】
【特許文献１】特開２００８−２６３４６９号公報
【特許文献２】特開２００６−３２３６８８号公報
【特許文献３】特開平０９−０３７００４号公報
【特許文献４】特開昭６２−２１９７６９号公報
【発明の概要】
【発明が解決しようとする課題】
【０００５】
１個の文書データが示す文書に、多数頁分の原稿が含まれている場合、ユーザは、多数頁分の原稿から抜粋した少数頁分の原稿を所望することがある。この場合、ユーザの手元には、ユーザが所望した少数頁分の原稿画像が形成された少数枚の記録シートが存在する。
ところが、識別情報は、１頁目の原稿画像が形成されている記録シートに付与されることが多い。このため、２頁目以降の原稿画像が形成されている記録シートしかユーザの手元に存在しない場合には、原稿画像の元になった原稿に係る文書データを特定することができない、という問題が生じる。
【０００６】
この問題を解決するためには、２頁目の原稿画像が形成されている記録シートにも識別情報を付与することが考えられる。
しかしながら、この場合、同一の文書データに基づく複数頁分の原稿画像が形成された複数枚の記録シート夫々に、同一の識別情報が付与される。従って、複数枚の記録シート全てが手元に存在するユーザにとっては、各記録シートに無用の識別情報が付与されていることになるため、冗長である。
【０００７】
ここで、例えば２頁目の原稿画像が形成されている記録シートを所持しているユーザが、２頁目の原稿画像のみの複写を所望している場合を考える。
この場合、画像形成装置は、記録シートに付与されている識別情報を検出し、検出した識別情報に基づいて、文書データを特定する。ところが、画像形成装置には、記録シートに形成されている原稿画像が、何頁目の原稿画像であるのかを判定するすべはない。このため、２頁目の原稿画像を記録シートに形成するようユーザが画像形成装置に対して指示を与える必要が生じる。
【０００８】
しかしながら、頁番号を示す画像が原稿画像に含まれていない場合には、ユーザにさえも、記録シートに形成されている原稿画像が、何頁目の原稿画像であるのかを判断するすべはない。従って、ユーザは、例えば文書データに基づく原稿画像を表示装置に表示させて、記録シートに記録されている原稿画像と同一の原稿画像を目視で探索しなければならない。この後、２頁目の原稿画像を記録シートに形成するようユーザが画像形成装置に対して指示を与える必要が生じる。
以上のことから、画像形成装置には、原稿画像の元になった原稿に係る文書データを特定して原稿画像を複写する機能のみならず、更に応用的な機能が求められている。
【０００９】
本発明は斯かる事情に鑑みてなされたものであり、その主たる目的は、文書データ及び原稿を個々に識別する識別情報によって文書データを特定する構成とすることにより、特定された文書データが示す複数頁分の原稿の内、記録シートに形成されている原稿画像の元になった原稿を特定することができる画像処理システムを提供することにある。
【００１０】
本発明の他の目的は、特定された文書データに基づき、少なくとも識別情報によって特定される１頁分の原稿を示す原稿画像と、識別情報を示す識別画像とを記録シートに形成する構成とすることにより、ユーザが頁番号を指示することなく、記録シートに形成されている原稿画像の複製を得ることができる画像処理システムを提供することにある。
【００１１】
本発明の更に他の目的は、特定された文書データと識別情報とをデータ処理装置へ送信する構成とすることにより、データ処理装置が文書データを処理する際の利便性を向上させることができる画像処理システムを提供することにある。
【課題を解決するための手段】
【００１２】
本発明に係る画像処理システムは、複数頁からなる文書を示す文書データを記憶する記憶装置と、複数頁からなる文書の内の１頁分の原稿を示す原稿画像と、前記記憶装置に記憶されており、前記１頁分の原稿が含まれる文書を示す文書データ、及び該文書データが示す文書における前記１頁分の原稿を識別する識別情報を示す識別画像とが形成してある記録シートから、少なくとも前記識別画像を読み取る読取装置と、該読取装置が読み取った識別画像から、前記識別情報を抽出する抽出装置とを備える画像処理システムであって、前記記憶装置に記憶されている文書データには、該文書データ、及び該文書データが示す文書における各１頁分の原稿を識別する識別情報が関連付けられており、前記抽出装置が抽出した識別情報によって特定される文書データを前記記憶装置から読み出す読出装置を備えることを特徴とする。
【００１３】
本発明に係る画像処理システムは、前記読出装置が読み出した文書データに基づいて、少なくとも前記識別情報によって特定される１頁分の原稿を示す原稿画像と、前記文書データ、及び該文書データが示す文書における前記１頁分の原稿を識別する識別情報を示す識別画像とを記録シートに形成する画像形成装置を更に備えることを特徴とする。
【００１４】
本発明に係る画像処理システムは、前記読出装置が読み出した文書データ及び前記抽出装置が抽出した識別情報を、受信した文書データを処理するデータ処理装置へ送信する送信装置を更に備えることを特徴とする。
【００１５】
本発明にあっては、画像処理システムが、記憶装置、読取装置、抽出装置、及び読出装置を備える。
記憶装置には、文書データが記憶されている。
ただし、記憶装置に記憶されている文書データは、Ｎ頁からなる文書（即ち、Ｎ頁分の原稿）を示すものである。ここで、ＮはＮ≧２の自然数である。何故ならば、１頁からなる文書を示す文書データにおいては、１頁分の原稿を識別する必要はないからである。
【００１６】
また、記憶装置に記憶されている文書データには、識別情報が関連付けられている。文書データに関連付けられている識別情報は、文書データ及び各１頁分の原稿を識別するものである。従って、Ｎ頁分の原稿を示す文書データには、Ｎ頁分の識別情報が関連付けられている。
記録シートには、Ｎ頁からなる文書の内の１頁分の原稿を示す原稿画像と、識別情報を示す識別画像とが形成されている。読取装置は、記録シートから少なくとも識別画像を読み取り、抽出装置は、読取装置が読み取った識別画像が示す識別情報を抽出する。
【００１７】
記録シートに形成されている識別画像が示す識別情報は、記録シートに形成されている１頁分の原稿画像が示す１頁分の原稿が含まれる文書を示す文書データ（即ち、この原稿のデータが含まれている文書データ）、及び、この１頁分の原稿を識別するものである。
従って、抽出装置が抽出した識別情報によって、記録シートに形成されている原稿画像の元になった原稿に係る文書データが特定される。更に、特定された文書データが示すＮ頁分の原稿の内、記録シートに形成されている１頁分の原稿画像の元になった原稿が特定される。
【００１８】
本発明にあっては、画像処理システムが、画像形成装置を更に備える。
画像形成装置は、読出装置が読み出した文書データに基づいて、Ｎ頁からなる文書の内の１頁分の原稿を示す原稿画像と、この文書データ及びこの１頁分の原稿を識別する識別情報を示す識別画像とを記録シートに形成する。このとき形成される原稿画像は、少なくとも、抽出装置が抽出した識別情報によって特定される１頁分の原稿を示す原稿画像である。
【００１９】
つまり、原稿画像が形成されている第１の記録シートを画像処理システムに与えれば、同一の原稿画像が形成されている第２の記録シートが得られる。しかも、第２の記録シートに形成されている原稿画像は、第１の記録シートに形成されている原稿画像の画質以上の画質を有する。
仮に、コピー機が原稿画像を直接的に複写する場合には、第２の記録シートに形成されている原稿画像の画質は、第１の記録シートに形成されている原稿画像の画質よりも劣化している。
【００２０】
本発明にあっては、画像処理システムが、送信装置を更に備える。
送信装置は、読出装置が読み出した文書データと、抽出装置が抽出した識別情報とを、データ処理装置へ送信する。
データ処理装置は、受信した文書データを処理する。ここで、文書データの処理とは、例えば、文書データに含まれる原稿の修正、削除、又は追加等である。
文書データを処理する際に、データ処理装置は、受信した識別情報を利用することが可能である。例えば、データ処理装置は、受信した識別情報によって特定される１頁分の原稿を示す原稿画像を、データ処理装置が有する表示画面に表示させる。
【発明の効果】
【００２１】
本発明の画像処理システムによる場合、１個の文書データが示すＮ頁分の原稿の内、任意のｎ頁分の原稿を示す原稿画像と、ｎ頁分の識別情報を示す識別画像とが、ｎ枚の記録シートに形成されている。ここで、ｎは１≦ｎ≦Ｎの自然数である。
この場合、ｎ枚の記録シート夫々に形成されている識別画像が示す識別情報の何れによっても、原稿画像の元になった原稿に係る文書データを特定することができる。つまり、ｎ枚の内の何れかの記録シートが手元に存在すれば、ユーザは、例えば文書データに基づいて形成された高画質の原稿画像を入手することができる。
【００２２】
また、ｎ枚の記録シート夫々に形成されている識別画像が示す識別情報は、互いに異なる。このため、ｎ枚の記録シート夫々に、同一の識別情報を示す識別画像が形成されている、という無駄を省くことができる。しかも、画像処理システムは、文書データが示すＮ頁分の原稿の内、ｎ枚の記録シートに形成されている原稿画像夫々の元になった各１頁分の原稿を容易に特定することができる。
【００２３】
本発明の画像処理システムによる場合、第１の記録シートから得られた識別情報を用いて、第１の記録シートに形成されている原稿画像と同一の原稿画像が形成された第２の記録シートをユーザが入手することができる。たとえ、第１の記録シートに形成されている原稿画像の画質が劣化していたとしても、第２の記録シートに形成される原稿画像は高画質である。
【００２４】
しかも、例えばｎ頁目の原稿画像が形成されている記録シートを所持しているユーザが、ｎ頁目の原稿画像のみの複写を所望している場合には、画像処理システムに対してユーザが頁番号を指定する必要はない。何故ならば、記録シートから得られた識別情報によって、原稿を特定することができるからである。この結果、ユーザの利便性を向上させることができる。
更に、第２の記録シートには、原稿画像と共に識別画像も形成されている。従って、第２の記録シートを画像処理システムに与えれば、同一の原稿画像が形成されている第３の記録シートを得ることができる。
【００２５】
本発明の画像処理システムによる場合、記録シートから得られた識別情報を用いて、記録シートに形成されている原稿画像の元になった原稿に係る文書データそのものをユーザが入手することができる。
しかも、識別情報は、文書データ及び原稿を識別するものである。このため、例えば、ｎ頁目の原稿画像が形成されている記録シートを所持しているユーザが、ｎ頁目の原稿に基づく原稿画像の表示を所望している場合には、画像処理システム又はデータ処理装置に対してユーザが頁番号を指定する必要はない。即ち、ユーザの利便性を向上させることができる。
【図面の簡単な説明】
【００２６】
【図１】本発明の実施の形態１に係る画像処理システムとして機能するデジタル複合機の構成を示すブロック図である。
【図２Ａ】記録シートに形成されている原稿画像及び識別画像の一例を示す模式図である。
【図２Ｂ】記録シートに形成されている原稿画像及び識別画像の他の一例を示す模式図である。
【図３Ａ】本発明の実施の形態１に係るデジタル複合機で実行される原稿特定処理の手順を示すフローチャートである。
【図３Ｂ】本発明の実施の形態１に係るデジタル複合機で実行される原稿特定処理の手順を示すフローチャートである。
【図４】本発明の実施の形態２に係る画像処理システムの構成を示すブロック図である。
【発明を実施するための形態】
【００２７】
以下、本発明を、その実施の形態を示す図面に基づいて詳述する。
【００２８】
実施の形態  １．
図１は、本発明の実施の形態１に係る画像処理システムとして機能するデジタル複合機１の構成を示すブロック図である。以下では、デジタル複合機１を、ＭＦＰ（Multi Functional Peripheral ）１という。
ＭＦＰ１は、コピー機能、スキャナ機能、及びファイルサーバ機能等、複数種類の機能を有する。ＭＦＰ１は、バス又は信号線によって相互に接続されている制御部１１、画像読取部１２、記憶部１３、画像処理部１４、画像形成部１５、表示部１６、操作部１７、及びＩ／Ｆ（インタフェース）１８を備える。
【００２９】
制御部１１は、ＲＯＭと、ＲＯＭに記憶されているコンピュータプログラムに従って各種処理を実行するＣＰＵと、ＣＰＵが作業領域として用いるＲＡＭとを備え、ＭＦＰ１の制御中枢として機能する。
Ｉ／Ｆ１８は、ＭＦＰ１とＬＡＮ３１との間のインタフェースである。
ＬＡＮ３１には、パーソナルコンピュータ（以下、ＰＣという）２が接続されており、Ｉ／Ｆ１８及びＬＡＮ３１を介して、ＭＦＰ１とＰＣ２とが通信する。
【００３０】
ＰＣ２には、ワープロソフト又はドローソフト等のソフトウェアがインストールされている。このようなソフトウェアを用いることによって、ＰＣ２は、１頁又はＮ頁からなる文書を示す文書データ（即ち、１頁分又はＮ頁分の原稿を示す文書データ）を生成し、また、原稿を修正、追加、及び／又は削除する。ただし、ＮはＮ≧２の自然数である。
ＭＦＰ１の画像読取部１２は、自身に載置された記録シートに形成されている画像を読み取ってなるラスタライズデータ（以下、画像データという）を生成する。生成された画像データは、記憶部１３に入力される。
【００３１】
記憶部１３は、例えばハードディスクを用いてなる大容量記憶装置である。
ＭＦＰ１がコピー機又はスキャナとして機能する場合、記憶部１３は、自身に入力された画像データを一時的に記憶する。
ＭＦＰ１がファイルサーバとして機能する場合、記憶部１３は、自身に入力された文書データ４を蓄積する。ただし、記憶部１３に蓄積されている文書データ４は、Ｎ頁分の原稿を示す文書データである。つまり、記憶部１３は、本発明の実施の形態における記憶装置として機能する。
【００３２】
本実施の形態における文書データ４は、ＰＣ２がワープロソフト又はドローソフト等を用いて生成したものである。ＰＣ２は、生成した文書データ４を、ファイルサーバとして機能するＭＦＰ１へ送信する。
制御部１１は、受信した文書データ４を、記憶部１３に入力させる。この結果、記憶部１３に文書データ４が蓄積される。このとき、文書データ４を格納したディレクトリには、記憶部１３のルートディレクトリからの絶対パスが関連付けられる。
ところで、文書データ４にはファイル名が付与されており、同一のディレクトリに格納されている複数個の文書データ４，４，…夫々には、異なるファイル名が付与される。また、文書データ４に含まれるＮ頁分の原稿夫々には、頁番号が関連付けられている。
【００３３】
従って、記憶部１３に蓄積されている個々の文書データ４は、記憶部１３における絶対パス及び文書データ４のファイル名によって特定される。また、文書データ４に含まれる個々の原稿は、頁番号によって特定される。
以上のことから、本実施の形態では、文書データ４及び文書データ４における各１頁分の原稿を識別する識別情報として、記憶部１３における絶対パスと、文書データ４のファイル名と、頁番号とを用いる。なお、識別情報には、文書データ４に含まれる原稿の全頁数、及びファイルサイズ等が含まれていてもよい。
【００３４】
制御部１１は、受信した文書データ４が記憶部１３に記憶された後で、文書データ４が示すＮ頁分の原稿について、頁毎に識別情報を生成し、生成した識別情報を、文書データ４に関連付けておく。
絶対パスを用いてなる識別情報には、記憶部１３におけるカレントディレクトリが何処であるかに関わらず、文書データ４及び原稿を正確に特定することができるというメリットがある。
【００３５】
なお、識別情報には、文書データ４が記憶されている記憶領域のアドレスを特定することが可能な情報が含まれていればよい。このため、例えば、絶対パスの代わりに相対パスを用いてなる識別情報が用いられる構成でもよい。
絶対パスは相対パスに比べて情報量が多いため、絶対パスを用いてなる識別情報を示す識別画像は、サイズが大きくなりがちである。つまり、相対パスを用いてなる識別情報には、識別画像のサイズを抑制することができるというメリットがある。
【００３６】
また、相対パスによって特定することができるディレクトリは、記憶部１３におけるカレントディレクトリ、及びカレントディレクトリに含まれるディレクトリのみである。このため、相対パスを用いてなる識別情報による場合には、カレントディレクトリを、例えばユーザが使用を許可されている所定のディレクトリに固定しておくことによって、セキュリティを向上させることができる。何故ならば、この場合には、ユーザが使用を禁止されているディレクトリに格納されている文書データ４及び原稿を、識別情報によって特定することができないからである。
【００３７】
ただし、相対パスを用いてなる識別情報による場合、何らかの事情でカレントディレクトリが変更されてしまうと、文書データ４及び原稿を正確に特定することができない、というデメリットが生じる。
そこで、制御部１１に、ユーザが使用を許可されている所定のディレクトリの絶対パスを示すディレクトリ情報を予め与えておくことが考えられる。この場合、制御部１１は、識別情報とディレクトリ情報とを組み合わせることによって、文書データ４及び原稿を正確に特定するための絶対パスを得ることができる。
【００３８】
なお、文書データ４は、ＰＣ２が生成したものに限定されない。例えば文書データ４は、Ｎ枚の記録シート夫々に形成されている画像を、例えば画像読取部１２が読み取ることによって生成されたものであってもよい。
【００３９】
図２Ａ及び図２Ｂは、記録シート４１，４２に形成されている原稿画像４１１，４２１及び識別画像４１２，４２２の一例を示す模式図である。
図２Ａ（又は図２Ｂ）に示す記録シート４１（又は記録シート４２）には、文書データ４の１頁目（又は２頁目）の原稿を示す原稿画像４１１（又は原稿画像４２１）が形成されている。記録シート４１（又は記録シート４２）の余白部分には、識別画像４１２（又は識別画像４２２）が形成されている。
本実施の形態における識別画像４１２，４２２夫々は、二次元コードであるが、一次元コードであってもよい。二次元コードの一例としてはＱＲコード（登録商標）が挙げられ、一次元コードの一例としてはバーコードが挙げられる。
【００４０】
記録シート４１（又は記録シート４２）が載置されている場合の画像読取部１２は、原稿画像４１１及び識別画像４１２（又は原稿画像４２１及び識別画像４２２）を読み取る。なお、記録シート４１（又は記録シート４２）における識別画像４１２（又は識別画像４２２）の形成位置が予め与えられている場合には、画像読取部１２は、識別画像４１２（又は識別画像４２２）のみを読み取る構成でもよい。
従って、画像読取部１２が生成する画像データには、識別画像４１２（又は識別画像４２２）を読み取ってなる画像データが含まれている。つまり、画像読取部１２は、本発明の実施の形態における読取装置として機能する。
【００４１】
識別画像は、識別情報を示すものである。
具体的には、識別画像４１２が示す識別情報は、原稿画像４１１が示す原稿が含まれる文書を示す文書データ４（即ち原稿画像４１１の元になった原稿に係る文書データ４）を識別するものであり、且つ、原稿画像４１１が示す原稿の頁番号“１”を識別するものである。以下では、原稿画像が示す原稿の頁番号を、原稿画像に係る頁番号という。
同様に、識別画像４２２が示す識別情報は、原稿画像４２１の元になった原稿に係る文書データ４を識別するものであり、且つ、原稿画像４２１に係る頁番号“２”を識別するものである。
【００４２】
画像処理部１４は、自身に入力された画像データに基づいて、識別画像のデータを抽出し、抽出した識別画像のデータから、識別画像が示す識別情報を抽出する。つまり、画像処理部１４は、本発明の実施の形態における抽出装置として機能する。抽出された識別情報は、制御部１１に入力される。
制御部１１は、入力された識別情報によって特定される文書データ４を記憶部１３から読み出す。つまり、制御部１１は、本発明の実施の形態における読出装置として機能する。
画像形成部１５は、自身に入力された画像データに基づく画像を、トナー又はインク等を用いて、記録用紙又はＯＨＰシート等の記録シートに形成する。
【００４３】
表示部１６は液晶表示パネルを用いてなり、ＭＦＰ１の作動状況、又はユーザに対するメッセージ等を表示する。
操作部１７は、ＭＦＰ１の使用者が操作すべき複数個の操作キーを備える。具体的には、スタートキー１７０、複写キー１７１、及び送信キー１７２が操作部１７に備えられている。本実施の形態における操作キーは、表示部１６に積層してあるタッチパネル上に制御部１１によって設けられるソフトキーである。なお、操作キーは、ハードキーであってもよい。
【００４４】
原稿画像を複写したいユーザは、ＭＦＰ１をコピー機と同様に扱う。このために、ユーザは、複写したい原稿画像が形成されている記録シートを画像読取部１２に載置し、複写キー１７１を操作する。次いで、ユーザは、原稿画像の複写に必要な設定（例えば複写する枚数、及び形成される画像の濃度等）を、操作部１７を操作することによってＭＦＰ１に与えてから、スタートキー１７０を操作する。
【００４５】
一方、原稿画像が示す原稿のデータをＰＣ２で利用したいユーザは、ＭＦＰ１をスキャナと同様に扱う。このために、ユーザは、所要の原稿画像が形成されている記録シートを画像読取部１２に載置し、送信キー１７２を操作する。次いで、ユーザは、原稿画像の読み取り及び文書データの送信に必要な設定（例えば読み取り時の解像度、及びＰＣ２のＩＰアドレス等）を、操作部１７を操作することによってＭＦＰ１に与えてから、スタートキー１７０を操作する。
【００４６】
図３は、ＭＦＰ１で実行される原稿特定処理の手順を示すフローチャートである。
図３Ａに示すように、制御部１１は、実行すべき処理を示すフラグＦを“０”にリセットする（Ｓ１１）。
また、制御部１１は、複写キー１７１が操作されたか否かを判定し（Ｓ１２）、操作されていない場合（Ｓ１２でＮＯ）、送信キー１７２が操作されたか否かを判定し（Ｓ１３）、操作されていない場合（Ｓ１３でＮＯ）、処理をＳ１２へ戻す。
【００４７】
複写キー１７１が操作された場合（Ｓ１２でＹＥＳ）、制御部１１は、フラグＦに“複写”をセットし（Ｓ１４）、原稿画像の複写に必要な設定を操作部１７にて受け付ける（Ｓ１５）。また、制御部１１は、スタートキー１７０が操作されたか否かを判定し（Ｓ１６）、操作されていない場合は（Ｓ１６でＮＯ）、処理をＳ１５へ戻す。
一方、送信キー１７２が操作された場合（Ｓ１３でＹＥＳ）、制御部１１は、フラグＦに“送信”をセットし（Ｓ１７）、原稿画像の読み取り及び文書データの送信に必要な設定を操作部１７にて受け付ける（Ｓ１８）。また、制御部１１は、スタートキー１７０が操作されたか否かを判定し（Ｓ１９）、操作されていない場合は（Ｓ１９でＮＯ）、処理をＳ１８へ戻す。
【００４８】
スタートキー１７０が操作された場合（Ｓ１６又はＳ１９でＹＥＳ）、制御部１１は、画像読取部１２に載置されている記録シートに形成されている画像を、画像読取部１２に読み取らせる（Ｓ２０）。このとき、画像読取部１２によって生成された画像データは、記憶部１３に入力される。
次いで、制御部１１は、画像処理部１４に識別情報を抽出させる（Ｓ２１）。このために、制御部１１は、記憶部１３から画像データを読み出し、読み出した画像データを、画像処理部１４に入力させる。このとき、画像処理部１４によって抽出された識別情報は、制御部１１に入力される。
【００４９】
そして、図３Ｂに示すように、制御部１１は、入力された識別情報、即ちＳ２１で抽出させた識別情報に基づいて記憶部１３を検索し（Ｓ３１）、Ｓ２１で抽出させた識別情報によって特定される文書データ４を、記憶部１３から読み出す（Ｓ３２）。
次に、制御部１１は、フラグＦに“複写”がセットされているか否かを判定する（Ｓ３３）。
フラグＦに“複写”がセットされている場合（Ｓ３３でＹＥＳ）、制御部１１は、Ｓ２１で抽出させた識別情報によって特定される原稿のデータ（以下、特定原稿データという）を、Ｓ３２で読み出した文書データ４から抽出する（Ｓ３４）。
【００５０】
次に、制御部１１は、Ｓ３４で抽出した特定原稿データをラスタライズすることによって、画像読取部１２に載置された記録シートに形成されている原稿画像の画像データを生成する（Ｓ３５）。また、制御部１１は、Ｓ２１で抽出させた識別情報を示す識別画像の画像データを生成する（Ｓ３６）。
そして、制御部１１は、Ｓ３５で生成した原稿画像の画像データに、Ｓ３４で生成した識別画像の画像データを埋め込むことによって、新たな画像データを生成する（Ｓ３７）。Ｓ３７における制御部１１は、原稿画像の画像データにおける所定範囲（具体的には、記録シートの余白部分に相当する範囲）の画像データを、識別画像の画像データで置き換える。
【００５１】
最後に、制御部１１は、画像形成部１５に画像を形成させて（Ｓ３８）、処理をＳ１１へ戻す。Ｓ３８における制御部１１は、Ｓ３７で生成した画像データを画像形成部１５に入力する。この結果、記録シートには、原稿画像と識別画像とを含む画像が形成される。つまり、画像形成部１５は、本発明の実施の形態における画像形成装置として機能する。
なお、Ｓ３４〜Ｓ３７の処理は、制御部１１がソフト的に実行する構成に限定されず、画像処理部１４又は図示しない他の画像処理部がハード的に実行する構成であってもよい。
【００５２】
また、Ｓ３１における検索処理の結果、Ｓ２１で抽出させた識別情報によって特定される文書データ４が記憶部１３には存在しないことがわかった場合、ＭＦＰ１は、一般的なコピー機と同様に作動する。又は、Ｓ２１における抽出処理の結果、記録シートには識別画像が形成されていないことがわかった場合にも、ＭＦＰ１は、一般的なコピー機と同様に作動する。一般的なコピー機と同様に作動する場合、制御部１１は、記憶部１３から画像データを読み出し、読み出した画像データを、そのまま画像処理部１４に入力する。
【００５３】
更にまた、制御部１１は、Ｓ３２で読み出した文書データ４が示すＮ頁分の原稿夫々の画像データを生成し、生成した画像データに、文書データ４及び各原稿を識別する識別情報を示す識別画像の画像データを埋め込んでもよい。この場合、１頁分の原稿画像が形成された１枚の記録シートから、全頁分の原稿画像が形成されたＮ枚の記録シートが得られる。
更に、ＭＦＰ１は、Ｓ１５の処理で、例えば「前後１頁の複写」というような設定が可能な構成でもよい。この場合、１頁分の原稿画像が形成された１枚の記録シートから、この原稿画像が示す原稿の前後１頁分の原稿を含む３頁分の原稿画像が形成された３枚の記録シートが得られる。
【００５４】
一方、フラグＦに“送信”がセットされている場合（Ｓ３３でＮＯ）、制御部１１は、Ｓ３２で読み出した文書データ４と、Ｓ２１で抽出させた識別情報とを、ＰＣ２へ送信する（Ｓ３９）。このとき、制御部１１は、本発明の実施の形態における送信装置として機能する。Ｓ３９の処理終了後、制御部１１は、処理をＳ１１へ戻す。
なお、制御部１１は、Ｓ３９の処理を実行する代わりに、Ｓ３４〜Ｓ３７の処理を実行し、Ｓ３７で生成した画像データを、ＰＣ２へ送信する処理を実行してもよい。又は、制御部１１は、Ｓ３９の処理を実行する代わりに、Ｓ３４の処理を実行し、Ｓ３４で抽出した特定原稿データと、Ｓ２１で抽出させた識別情報とを、ＰＣ２へ送信する処理を実行してもよい。
【００５５】
また、Ｓ３１における検索処理の結果、Ｓ２１で抽出させた識別情報によって特定される文書データ４が記憶部１３には存在しないことがわかった場合、ＭＦＰ１は、一般的なスキャナと同様に作動する。また、又は、Ｓ２１における抽出処理の結果、記録シートには識別画像が形成されていないことがわかった場合にも、ＭＦＰ１は、一般的なスキャナと同様に作動する。一般的なスキャナと同様に作動する場合、制御部１１は、記憶部１３から画像データを読み出し、読み出した画像データを、そのままＰＣ２へ送信する。
【００５６】
文書データ４及び識別情報を受信したＰＣ２は、受信した文書データ及び識別情報に基づいて、ユーザが所望する各種の処理を実行する。つまり、ＰＣ２は、本発明の実施の形態におけるデータ処理装置として機能する。
【００５７】
以上の結果、コピー機として機能するＭＦＰ１は、記録シートに形成されている画像を読み取り、読み取った画像と同一であり、且つ、読み取った画像の画質以上の画質を有する画像を、記録シートに形成することができる。
また、スキャナとして機能するＭＦＰ１は、記録シートに形成されている画像を読み取り、読み取った画像に含まれている原稿画像及び識別画像に対応する文書データ４及び識別情報をＰＣ２に与えることができる。
【００５８】
本実施の形態のＭＦＰ１は、記憶装置、読取装置、抽出装置、読出装置、画像形成装置及び送信装置として機能する各部を内蔵している構成であるが、これに限定されるものではない。例えば、ＭＦＰ１は、ＭＦＰ１に外付けされているハードディスク装置、又はＬＡＮ３１に接続されているファイルサーバ等を、記憶部１３と同様に使用する構成でもよい。
【００５９】
実施の形態  ２．
図４は、本発明の実施の形態２に係る画像処理システム５の構成を示すブロック図である。
画像処理システム５は、夫々がＬＡＮ５０に接続されているファイルサーバ５１、スキャナ５２、プリンタ５３、及びＰＣ５４を備えている。
ＬＡＮ５０はインターネット３２に接続されており、インターネット３２には、ＰＣ５４とは異なるＰＣ６が接続されている。
画像処理システム５のＬＡＮ５０は、実施の形態１のＭＦＰ１が備えるバス又は信号線に対応する。
【００６０】
ファイルサーバ５１、スキャナ５２、及びプリンタ５３は、本発明の実施の形態における記憶装置、読取装置、及び画像形成装置として機能し、実施の形態１の記憶部１３、画像読取部１２、及び画像形成部１５に対応する。
ＰＣ５４は、本発明の実施の形態における送信装置及び抽出装置として機能し、実施の形態１の制御部１１及び画像処理部１４に対応する。また、ＰＣ５４が備える表示部及び操作部は、実施の形態１の表示部１６及び操作部１７に対応する。
画像処理システム５は、ファイルサーバ５１、スキャナ５２、プリンタ５３、及びＰＣ５４がＬＡＮ５０を介して相互に通信することによって、実施の形態１の図３に示す原稿特定処理に相当する処理を実行する。
【００６１】
ＰＣ６は、本発明の実施の形態におけるデータ処理装置として機能し、実施の形態１のＰＣ２に対応する。このために、ＰＣ５４は、文書データ４及び識別情報が添付された電子メールを、ＬＡＮ５０及びインターネット３２を介してＰＣ６へ送信する。
なお、文書データ４の生成は、ＰＣ６ではなく、ＰＣ５４が実行する構成でもよい。
【００６２】
以上のような画像処理システム５は、実施の形態１のＭＦＰ１と同様の効果を奏することができる。しかも、各種の処理が１台の装置に集中することがないため、各装置の負担を軽減することができる。
なお、今回開示された実施の形態は、全ての点で例示であって、制限的なものではないと考えられるべきである。本発明の範囲は、上述した意味ではなく、特許請求の範囲と均等の意味及び特許請求の範囲内での全ての変更が含まれることが意図される。
また、本発明の効果がある限りにおいて、ＭＦＰ１又は画像処理システム５に、実施の形態１，２に開示されていない構成要素が含まれていてもよい。
【符号の説明】
【００６３】
１    ＭＦＰ（画像処理システム）
１１  制御部（読出装置，送信装置）
１２  画像読取部（読取装置）
１３  記憶部（記憶装置）
１４  画像処理部（抽出装置）
１５  画像形成部（画像形成装置）
２，６  ＰＣ（データ処理装置）
４    文書データ
４１，４２  記録シート
４１１，４２１  原稿画像
４１２，４２２  識別画像
５    画像処理システム
５１  ファイルサーバ（記憶装置）
５２  スキャナ（読取装置）
５３  プリンタ（画像形成装置）
５４  ＰＣ（抽出装置，読出装置，送信装置）
【図１】
2011050005.tif 000003
【図２Ａ】
2011050005.tif 000004
【図２Ｂ】
2011050005.tif 000005
【図３Ａ】
2011050005.tif 000006
【図３Ｂ】
2011050005.tif 000007
【図４】
2011050005.tif 000008